(57)【要約】【課題】  スプリングコネクタの押圧力による表示への悪影響を排除することができ、簡便かつ信頼性に優れた実装構造を形成し得る電気光学装置を提供する。【解決手段】  本発明に係る液晶装置（電気光学装置）１００は、液晶パネル（電気光学パネル）１１０と、液晶パネル１１０を収容するＬＣＤフレーム（支持部材）１２０と、液晶パネル１１０からＦＰＣ１２，１３を介して導出されて当該液晶装置１００の背面側に配置された外部接続端子１５とを具備し、前記ＬＣＤフレーム１２０が、前記外部接続端子１５の裏面側に位置する金属製の補強部材１２２を備えている構成である。【選択図】        図２
2007093850.tif 000002
【特許請求の範囲】
【請求項１】
電気光学パネルと、該電気光学パネルを支持する支持部材とを具備し、電子機器に装着される電気光学装置であって、
前記電気光学装置は、前記支持部材を介して前記電子機器側から押圧されて装着され、
前記支持部材の前記押圧される領域に対応した部位に補強部材を備えていることを特徴とする電気光学装置。
【請求項２】
前記補強部材は、前記支持部材の端縁部に設けられていることを特徴とする請求項１に記載の電気光学装置。
【請求項３】
前記補強部材は、前記支持部材の端縁部から前記支持部材の側面にわたって設けられていることを特徴とする請求項２に記載の電気光学装置。
【請求項４】
前記補強部材は、前記電子機器における当該電気光学装置の支持部と係合する係止部を備えていることを特徴とする請求項１から３のいずれか１項に記載の電気光学装置。
【請求項５】
前記係止部は、当該電気光学装置の側面に配置されるとともに、当該側面から外側に突出する凸状部を有していることを特徴とする請求項４に記載の電気光学装置。
【請求項６】
前記係止部は、前記補強部材と一体に形成されていることを特徴とする請求項４又は５に記載の電気光学装置。
【請求項７】
前記補強部材は、一枚の金属板を成形加工してなる金属部材であることを特徴とする請求項１から６のいずれか１項に記載の電気光学装置。
【請求項８】
前記電気光学パネルと電気的に接続され、当該電気光学パネルの光射出面とは反対側の面に重ねて配置される基板を有し、
前記基板の前記電子機器側の面には外部接続端子を有し、
当該外部接続端子は、前記電子機器側のコネクタによって押圧されて当該コネクタと電気的に接続され、
前記補強部材は、前記基板と前記電気光学パネルとの間の前記外部接続端子と重なる領域に配置されることを特徴とする請求項１から７のいずれか１項に記載の電気光学装置。
【請求項９】
請求項１から８のいずれか１項に記載の電気光学装置を備えたことを特徴とする電子機器。
【発明の詳細な説明】
【技術分野】
【０００１】
本発明は、電気光学装置及び電子機器に関するものである。
【背景技術】
【０００２】
液晶装置等の電気光学装置は携帯電話等の電子機器の表示部に好適に用いられている。前記電気光学装置を電子機器に実装するに際しては、電気光学装置の基板辺端部に設けられた外部接続端子にＦＰＣ（Flexible Printed Circuit）を接続し、このＦＰＣを電子機器の筐体内に引き回すことで、電子機器の実装端子に接続するようになっている。このような電気光学装置の実装構造に関しては、省スペース化を実現するための種々の工夫が成されている。例えば、特許文献１では、パネルと共通基板とを重ね合わせて支持体に固定し、パネルから引き出したＦＰＣを裏面側引き回してパネルと共通基板とを接続するとともに、共通基板から引き出されたＦＰＣを介して電子機器に実装するようになっている。
【特許文献１】特開２００１−２９０４３８号公報
【発明の開示】
【発明が解決しようとする課題】
【０００３】
近年では、電気光学装置の実装の容易性や省スペース性を向上させるために、電子機器側の実装基板にスプリングコネクタを設け、そのスプリングコネクタに対して、電気光学装置を実装する構造が採用されている。図６は、このようなスプリングコネクタを介した電気光学装置の実装構造を示す図であり、（ａ）はその概略斜視図、（ｂ）は（ａ）の側断面図である。図６に示すように、電気光学装置９００は、液晶パネル９１０と、液晶パネル９１０を固定支持する箱形の支持体９２０とを備えている。パネル実装基板９５０は、その一面側にスプリングコネクタ９６０を備えている。図６（ｂ）に示すように、液晶パネル９１０の基板９０１から引き出されたＦＰＣ９０３は、支持体９２０の裏面側まで引き回されており、その先端部９０４に形成された接続端子を備えている。そして、図６（ａ）に示すようにパネル裏面側と実装基板９５０とを対向させて配置することで、図６（ｂ）に示すように、ＦＰＣ９０３の接続端子がスプリングコネクタ９６０のバネ端子９６５と当接し、電気光学装置９００と実装基板９５０とが電気的に接続されるようになっている。
【０００４】
上記構成の実装構造によれば、実装基板９５０に対して電気光学装置９００を極めて容易に薄型に実装することができ、電気光学装置９００とスプリングコネクタ９６０との接続信頼性にも優れたものとなる。しかし、本発明者が上記実装構造について検討を行ったところ、電気光学装置９００を実装すると、バネ端子（コネクタ端子）９６５は圧縮状態に保持されるため、図に矢印で示すようにバネ端子９６５の復元力による応力が電気光学装置９００に作用する。そして、電気光学装置９００が前記応力により撓んでしまい、液晶パネル９１０に表示むらが生じることが判明した。
【０００５】
本発明は、上記従来技術の問題点に鑑み成されたものであって、スプリングコネクタの押圧力による表示への悪影響を排除することができ、簡便かつ信頼性に優れた実装構造を形成し得る電気光学装置を提供することを目的としている。
【課題を解決するための手段】
【０００６】
本発明の電気光学装置は、上記課題を解決するために、電気光学パネルと、該電気光学パネルを支持する支持部材とを具備し、電子機器に装着される電気光学装置であって、前記電気光学装置は、前記支持部材を介して前記電子機器側から押圧されて装着され、前記支持部材の前記押圧される領域に対応した部位に補強部材を備えていることを特徴とする。
かかる構成の電気光学装置は、前記押圧される領域に対応する位置に補強部材を備えているので、前記電子機器からの応力を前記補強部材によって受け止めることができ、前記応力が前記電気光学パネルに作用するのを防止することができる。これにより、前記応力によって電気光学パネルが撓み、その特性に悪影響を及ぼすのを防止することができる。従って本発明の電気光学装置は、簡便かつ信頼性に優れた実装構造を形成し得るものとなっている。
【０００７】
本発明の電気光学装置では、前記補強部材は、前記支持部材の端縁部に設けられていることが好ましい。従って、前記外部接続端子も前記支持部材の端縁部に設けられていることが好ましい。このような構成とすることで、電子機器のコネクタ端子からの応力の影響をより効果的に排除することができるため、実装構造の信頼性をさらに高めることができる。
【０００８】
本発明の電気光学装置では、前記補強部材は、前記支持部材の端縁部から前記支持部材の側面にわたって設けられていることが好ましい。このように補強部材が支持部材の端縁部から側面に渡って設けられている構造とすることで、電子機器からの応力を補強部材と支持部材とによって受け止める構造とすることができるので、前記電気光学パネルに対する前記応力の影響をより効果的に排除することができる。
【０００９】
本発明の電気光学装置では、前記補強部材は、前記電子機器における当該電気光学装置の支持部と係合する係止部を備えていることが好ましい。このような構成とすることで、前記コネクタ端子からの応力を受ける前記補強部材が、前記電子機器に対して固定される構造とすることができるので、前記応力を前記係止部を介して電子機器側へ作用させるようにすることができ、電気光学パネル及び支持部材に対して作用する応力を低減できる。
【００１０】
本発明の電気光学装置では、前記係止部は、当該電気光学装置の側面に配置されるとともに、当該側面から外側に突出する凸状部を有している構成とすることができる。このような構成とすることで、前記外部接続端子と干渉せず、係合動作を容易に行える係止部とすることができる。
【００１１】
本発明の電気光学装置では、前記係止部は、前記補強部材と一体に形成されていることが好ましい。このようなにコネクタ端子からの応力を直接に受ける前記板状部材に前記係止部を一体に形成することで、前記電気光学パネル及び支持部材に対して作用する応力をより効果的に遮断することができる。
【００１２】
本発明の電気光学装置では、前記補強部材は、一枚の金属板を成形加工してなる金属部材であることが好ましい。このような構成とすることで、前記補強部材を高精度にかつ低コストに作製することができる。
【００１３】
本発明の電気光学装置では、前記電気光学パネルと電気的に接続され、当該電気光学パネルの光射出面とは反対側の面に重ねて配置される基板を有し、前記基板の前記電子機器側の面には外部接続端子を有し、当該外部接続端子は、前記電子機器側のコネクタによって押圧されて当該コネクタと電気的に接続され、前記補強部材は、前記基板と前記電気光学パネルとの間の前記外部接続端子と重なる領域に配置される構成とすることができる。
この構成によれば、電子機器の筐体におけるスペースを節約しつつ装着することができ、また電子機器のコネクタとの間に高信頼性の実装構造を形成し得る電気光学装置を提供することができる。
【００１４】
次に、本発明は、電子部品の外部接続端子と、該電子部品が実装される電子機器に設けられた弾性端子との端子間接続構造であって、前記外部接続端子は、前記弾性端子を押圧して圧縮状態に保持しつつ当該弾性端子に接続されており、前記外部接続端子の前記弾性端子と反対側に、前記弾性端子の回復力による応力を受け止める補強部材が設けられていることを特徴とする端子間接続構造を提供する。
このような端子間接続構造によれば、前記補強部材によって前記弾性端子からの応力を受け止めることができるので、前記応力が前記電子部品に直接に作用するのを防止でき、当該応力が電子部品の特性に悪影響を及ぼすのを防止することができる。これにより、信頼性に優れた端子間接続構造を提供することができる。
【００１５】
次に、本発明の電子機器は、先に記載の本発明の電気光学装置を備えたことを特徴とする。この構成によれば、前記電気光学装置との導電接続に係る実装構造に起因する電気光学装置の特性不良が無く、表示品質と信頼性の双方において優れた電子機器を提供することができる。
【発明を実施するための最良の形態】
【００１６】
以下、本発明の実施の形態を図面を参照して説明する。
図１は、本発明に係る電子機器の一実施形態である携帯電話機２００の部分平面構成図である。図１に示す携帯電話機２００は、本発明に係る液晶装置（電気光学装置）を表示部に備えたものであり、ケース２０１，２０５と、保護窓２０２と、保護窓の内側に配設された液晶装置１００と、操作部２０３と、を有している。図示は省略しているが、操作部２０３が設けられているケース２０５には、人が指で押して情報を入力するための操作キーが設けられている。
【００１７】
ケース２０１，２０５は携帯電話機２００の筐体であり、その内部に前記液晶装置１００や携帯電話機２００のメイン基板等が収容されるようになっている。ケース２０１の前面側に設けられた保護窓２０２は、プラスチック等の透明部材であり、ケース内部に配設した液晶装置１００の表示面を透過して視認可能とするとともに、液晶装置１００に外圧等が加わるのを防ぐ働きをする。またケース２０１の上端部には受話部２０６が設けられている。
【００１８】
図２は、図１のＡ−Ａ’線に沿う位置における断面構成図である。但し、図２では、ケース２０１のうち、液晶装置１００の前面側に位置するフロント側部分のみを図示している。
ケース２０１内には、液晶装置１００を保護窓２０２と対向する位置にて支持する実装基板２１５が配置されており、実装基板２１５上に設けられた箱形のＬＣＤコネクタ２６０内に液晶装置１００が保持されている。実装基板２１５は、携帯電話機２００のメイン基板、あるいはメイン基板と接続されるサブ基板であり、ＬＣＤコネクタ２６０と携帯電話機のＬＣＤドライバとを接続する配線構造を備えたものとなっている。
【００１９】
液晶装置１００は、液晶パネル（電気光学パネル）１１０とその背面側に配設されたバックライト１３０とを概略枠状のＬＣＤフレーム（支持部材）１２０によって一体に支持した構成を備えている。ＬＣＤフレーム１２０の背面側には、液晶パネル１１０から延びた第１のＦＰＣ（フレキシブル基板）１２と、第１のＦＰＣ１２と電気的に接続されて液晶装置１００の上端部（＋Ｙ側端部）に延びる第２のＦＰＣ（フレキシブル基板）１３とが設けられている。
【００２０】
図２に示す液晶パネル１１０は、互いに対向して位置決めされた第１基板１０と第２基板２０とを備えて構成されている。基板１０，２０間には液晶が挟持されており、第１基板１０及び第２基板２０の対向面に設けられた電極を介して印加される電圧により駆動されるようになっている。保護窓２０２側に配設された第１基板１０は、第２基板２０の端縁から−Ｙ側に張り出しており、その張り出した領域の基板面に駆動回路１１が設けられている。また、前記張り出し領域の−Ｙ側の端縁部には、前記第１のＦＰＣ１２が接続されており、より具体的には、前記張出し領域に設けられた図示略の複数の外部接続端子と、前記第１のＦＰＣ１２上に設けられた図示略の複数の接続端子とが、各々互いに電気的に接続されている。
【００２１】
液晶パネル１１０の背面側（＋Ｘ側）には、液晶パネル１１０に対応した大きさを有する板状のバックライト１３０が設けられている。バックライト１３０は、第２基板２０の背面側に配設された板状の導光板３０と、シート状の反射板３１と、光源３２とを備えて構成されている。反射板３１は導光板３０を平面的に覆う大きさに形成されており、光源３２はＬＥＤ（発光ダイオード）等の発光素子を備えたもので、導光板３０の−Ｙ側の側端面と対向して配置されている。上記構成のもと、バックライト１３０は、光源３２から射出された光を導光板３０の側端面から内部に導き、反射板３１等の作用により液晶パネル１１０側へ射出することで、液晶パネル１１０の照明装置として機能するようになっている。
【００２２】
なお、液晶パネル１１０の種類には特に限定はなく、種々の方式のものを問題なく用いることができる。すなわち、液晶パネル１１０は透過型、反射型、あるいは半透過反射型のいずれの表示方式のものであってもよく、その駆動方式についても、アクティブマトリクス型、パッシブマトリクス型の種別を問わず用いることができる。
【００２３】
図３は、図１及び図２に示す液晶装置１００の上面図（ａ）、平面図（ｂ）、及び側面図（ｃ）である。図４は、液晶装置１００の背面図である。但し、図４では液晶パネル１１０から延びる第１のＦＰＣ１２を省略している。
【００２４】
ＬＣＤフレーム１２０は、図３に示すように、液晶パネル１１０の外形に対応した枠状部材であり、その内側には前記液晶パネル１１０とバックライト１３０とが重なった状態で収容されている。液晶パネル１１０の端縁部に接続された第１のＦＰＣ１２は、ＬＣＤフレーム１２０に収容された液晶パネル１１０からＬＣＤフレーム１２０の背面側に回り込んで延在しており、その先端部は、図２に示したように液晶装置１００の背面中央部に配置される。そして当該位置にて、液晶装置１００の＋Ｙ側の端縁から延びる第２のＦＰＣ１３の接続端子１６と電気的に接続されている。前記接続端子１６は、第２のＦＰＣ１３に形成された図示略の接続配線を介して第２のＦＰＣ１３の＋Ｘ側端部に設けられた外部接続端子１５と電気的に接続されている。従って、本実施形態の液晶装置１００では、液晶パネル１１０と外部回路とを接続するための外部接続端子が、第１のＦＰＣ１２と第２のＦＰＣ１３とによって、第２のＦＰＣ１３の先端部（＋Ｙ側端部）に形成された外部接続端子１５に引き出されている格好となっている。
【００２５】
図３に示すように、ＬＣＤフレーム１２０のうちＸ軸方向外側に配された各側面には、係止部材１２５がそれぞれ設けられている。係止部材１２５は、図３（ｂ）に示すように、前記側面からＸ軸方向外側へ若干突出して形成されており、Ｘ軸方向に進退可能な弾性を有する鈎状部材となっている。かかる構成を備えた係止部材１２５は、液晶装置１００を携帯電話機２００のＬＣＤコネクタ２６０に装着したときに、ＬＣＤコネクタ２６０側の係止部２６７（図５参照）に係合して液晶装置１００を固定するものである。
【００２６】
本実施形態に係るＬＣＤフレーム１２０は、図２に示したように、その一側端部（＋Ｙ側側端部）に断面視略鈎形の補強部材１２２を備えている。補強部材１２２は、ステンレス等の比較的高い剛性を有する金属材料により形成されたものである。なお、図３（ａ）、（ｂ）では、補強部材１２２を認識しやすくするため、斜線模様を付して示している。
【００２７】
補強部材１２２は、ＬＣＤフレーム１２０の＋Ｙ側の辺端部を把持する被着部１２２ａと、被着部１２２ａからＸ軸方向両側に延出された係止部１２３，１２３とからなる。被着部１２２ａは、図２に示す断面視において、液晶装置１００の前面側（＋Ｚ側）に配された前面部１２２ｂが相対的に短く、背面側（−Ｘ側）に配された背面部１２２ｃが相対的に長くされた形状を有しており、その背面部１２２ｃの外面に前記第２のＦＰＣ１３が載置され、第２のＦＰＣ１３の先端部に形成された外部接続端子１５はこの被着部１２２ａの背面部１２２ｃ上に配置されるようになっている。当該背面部１２２ｃは、図４に示す複数の外部接続端子１５を内包できる平面領域を備える略長方形状に形成され、前記前面部１２２ｂは、液晶パネル１１０と干渉しないように、ＬＣＤフレーム１２０を把持するに足る最小限の長さに形成されている。
【００２８】
係止部１２３は、図３に示すように、補強部材１２２をＬＣＤフレーム１２０に装着した際に、ＬＣＤフレーム１２０のＸ軸方向の側面に沿って配置される部位であり、Ｘ軸方向に延びる背面部１２２ｃの先端部から＋Ｚ側に立ち上がるように形成されている。また係止部１２３には、それぞれＸ軸方向外側に突出する凸状部１２４が形成されている。この凸状部１２４は、前記係止部材１２５とともに液晶装置１００をＬＣＤコネクタ２６０に固定するものである。
【００２９】
図５は、図２に示したＬＣＤコネクタ２６０の斜視構成図である。ＬＣＤコネクタ２６０は、プラスチック等からなる箱形部材であり、矩形状の底壁部２６４から立ち上がる側壁部２６１〜２６３を備えており、側壁部２６１〜２６３に囲まれる空間に前記液晶装置１００を収容するようになっている。そして、底壁部２６４の側壁部２６２側に、複数のバネ端子２６８をＸ軸方向に配列してなるスプリングコネクタ２６５を備えている。スプリングコネクタ２６５は、ＬＣＤコネクタ２６０が実装されている実装基板２１５上のプリント配線と電気的に接続されており、液晶装置１００と実装基板２１５との接続端子として機能する。
【００３０】
Ｙ軸方向に延びる側壁部２６３，２６３の内壁側には、液晶装置１００を固定する係止部２６６，２６７が形成されており、側壁部２６２側の係止部２６６は、スプリングコネクタ２６５の側方に配置されており、係止部２６７は側壁部２６３のＹ軸方向中央部から側壁部２６１側寄りに配置されている。
【００３１】
上記構成を備えたＬＣＤコネクタ２６０に対して液晶装置１００を装着するには、補強部材１２２の凸状部１２４，１２４を、係止部２６６，２６６と底壁部２６４との間の溝部に挿入しつつ液晶装置１００の外部接続端子１５をスプリングコネクタ２６５に押圧し、その後ＬＣＤフレーム１２０の係止部材１２５，１２５を対応する係止部２６７，２６７に係合する。このようにしてＬＣＤコネクタ２６０に液晶装置１００を装着することで、図２に示したように、液晶装置１００の背面側に設けられた外部接続端子１５と、スプリングコネクタ２６５のバネ端子２６８とが当接して電気的に接続され、その結果、実装基板２１５と液晶装置１００の駆動回路１１とが電気的に接続される。
【００３２】
上記液晶装置１００を装着した状態において、バネ端子２６８は液晶装置１００により圧縮状態に保持されるため、液晶装置１００にはバネ端子２６８の回復力による応力が作用するが、バネ端子２６８と当接している外部接続端子１５の裏面側には、ＬＣＤフレーム１２０を把持した金属製の補強部材１２２が設けられている。そのため、バネ端子２６８からの応力は補強部材１２２ないしＬＣＤフレーム１２０により受け止められることとなって液晶パネル１１０には作用せず、従って液晶パネル１１０が歪まず、色むらを生じることもない。
【００３３】
さらに本実施形態では、補強部材１２２と一体に形成された係止部１２３を備えており、かかる係止部１２３の凸状部１２４がＬＣＤコネクタ２６０の係止部２６６に係合されて液晶装置１００を支持する構造となっている。そのため、バネ端子２６８から補強部材１２２に作用する応力は、前記凸状部１２４を介してＬＣＤコネクタ２６０に作用することとなり、ＬＣＤフレーム１２０にもほとんど作用しない。従って、プラスチック等の樹脂材料を用いて形成されるＬＣＤフレーム１２０がバネ端子２６８の応力によって歪むこともない。
【００３４】
このように、本実施形態の液晶装置１００は、その一辺端部に金属製の補強部材１２２を設けるという簡便な構成でスプリングコネクタの回復力による液晶パネル１１０の撓みを防止し、表示むらの発生を防止することができるようになっている。また、補強部材１２２は樹脂製のＬＣＤフレーム１２０の剛性を向上させる機能も奏するため、モジュールとしての液晶装置１００の信頼性を高め、また取り扱いの容易さの向上にも寄与するものとなっている。
【００３５】
以上、本発明の一実施形態について説明したが、本発明は上記の実施形態に限定されることはなく、本発明の範囲内で自由に変更が可能である。例えば、液晶パネル１１０に代えて、有機ＥＬ（エレクトロルミネッセンス）装置やプラズマ発光装置等の電気光学装置を用いてもよい。
【図面の簡単な説明】
【００３６】
【図１】本発明に係る電子機器の一例である携帯電話機の部分平面構成図。
【図２】図１のＡ−Ａ’線に沿う断面構成図。
【図３】図１及び図２に示す液晶装置を示す複数の図。
【図４】同、液晶装置の背面図。
【図５】図２に示すＬＣＤコネクタの斜視構成図。
【図６】液晶装置の従来の実装構造を示す図。
【符号の説明】
【００３７】
１００  液晶装置（電気光学装置）、２００  携帯電話機（電子機器）、１１０  液晶パネル（電気光学パネル）、１２０  ＬＣＤフレーム（支持部材）、１３０  バックライト（照明装置）、１１  駆動回路、１２  第１のＦＰＣ（フレキシブル基板）、１３  第２のＦＰＣ（フレキシブル基板）、１５  外部接続端子、１６  接続端子、１２２  補強部材、１２２ａ  被着部、１２２ｂ  前面部、１２２ｃ  背面部、１２３  係止部、１２４  凸状部、１２５  係止部材、２０１，２０５  ケース（筐体）、２０２  保護窓、２６０  ＬＣＤコネクタ、２６１〜２６３  側壁部、２６４  底壁部、２６５  スプリングコネクタ、２６６，２６７  係止部。
【図１】
2007093850.tif 000003
【図２】
2007093850.tif 000004
【図３】
2007093850.tif 000005
【図４】
2007093850.tif 000006
【図５】
2007093850.tif 000007
【図６】
2007093850.tif 000008